(57)【要約】【課題】傾斜位置になったトレイ本体部に対して開位置のトレイカバーを閉位置に戻すだけで、トレイ本体部を起立位置に戻すことができるシート搬送装置を提供する。【解決手段】本体ユニット１１の背面１１Ｂに設けられたバイパストレイ６０は、上部が本体ユニット１１に近接した起立位置と本体ユニット１１から離間した傾斜位置とに回動可能である。トレイ本体部６１の上部には、第１軸と平行な第２中心軸を中心として、起立位置のトレイ本体部６１と本体ユニット１１との間の空間を覆う閉位置と、その空間を開放する開位置とに回動可能なトレイカバー６２が設けられている。トレイカバー６２が自重によって閉位置に回動する際に、突出部６３Ｂとバイパスカバー５５とが摺接すると、トレイ本体部６１は起立位置になる。閉位置になったトレイカバー６２は、起立位置のトレイ本体部６１と、本体ユニット１１との間の空間を覆う。【選択図】図９
2016210578.tif 000002
【特許請求の範囲】
【請求項１】
シートの搬送経路を有する本体ユニットと、
上記本体ユニットに対して、第１軸を中心として、起立位置と、当該起立位置よりも上部が上記本体ユニットから離間した傾斜位置とに回動可能であって、上記搬送経路に供給されるシートを支持するトレイ本体部と、
上記トレイ本体部に配置されており、上記第１軸と平行な第２軸を中心として、上記起立位置における上記トレイ本体部と上記本体ユニットとの間の空間を覆う閉位置と、当該空間を開放する開位置とに回動可能なトレイカバーと、
上記トレイカバーに設けられており、当該トレイカバーが上記閉位置であるときに上記空間内に位置する第１部材と、
上記本体ユニットに設けられており、上記トレイ本体部が上記傾斜位置であるときに、上記トレイカバーが自重によって上記開位置から上記閉位置に回動する際に上記第１部材に摺接して、上記トレイ本体を上記起立位置へ回動させる第２部材と、を具備するシート搬送装置。
【請求項２】
上記トレイカバーは、上記傾斜位置の上記トレイ本体部に対して上記開位置であるときに、上記トレイ本体部と共にシートを支持する支持面を有する請求項１に記載のシート搬送装置。
【請求項３】
上記第１部材は、第１摺接面を有し、
上記第２部材は、第２摺接面を有し、
上記第１摺接面及び上記第２摺接面のいずれか一方は、上記第１摺接面及び上記第２摺接面の他方に向かって円弧状に突出する湾曲面である請求項２に記載のシート搬送装置。
【請求項４】
上記第１摺接面は、上記支持面となす角度が、上記第２軸へ接近するにつれて小さくなっており、
上記第２摺接面は、上記湾曲面である請求項３に記載のシート搬送装置。
【請求項５】
上記第１部材は、上記閉位置の上記トレイカバーにおける上記第２部材と係合して上記トレイ本体部が、上記起立位置から上記傾斜位置への回動を規制する係合部を有する請求項４に記載のシート搬送装置。
【請求項６】
上記第１部材は、上記トレイ本体部に支持されるシートの側縁をガイドするものである請求項２から４のいずれかに記載のシート搬送装置。
【請求項７】
上記トレイカバー及び上記トレイ本体部のいずれか一方に設けられており、上記トレイカバーの重心位置よりも上記第２軸に近い位置において上記トレイカバー及び上記トレイ本体部の他方と当接して、上記トレイ本体部の上部において、上記本体ユニットに接近する向きに、上記トレイ本体部の重力によるモーメントよりも大きなモーメントを発生させる当接部をさらに具備する請求項１から６のいずれかに記載のシート搬送装置。
【請求項８】
シートの搬送経路を有する本体ユニットと、
上記本体ユニットに、第１軸を中心として、起立位置と、当該起立位置よりも上部が上記本体ユニットから離間した傾斜位置とに回動可能であって、上記搬送経路に供給されるシートを支持するトレイ本体部と、
上記トレイ本体部に配置されており、上記第１軸とは平行な第２軸を中心として、上記起立位置の上記トレイ本体部と上記本体ユニットとの間の空間を覆う閉位置と、当該空間を開放する開位置に回動可能なトレイカバーと、
上記トレイカバー及び上記トレイ本体部のいずれか一方に設けられており、上記トレイカバーの重心位置よりも上記第２軸に近い位置において上記トレイカバー及び上記トレイ本体部の他方と当接して、上記トレイ本体部の上部において、上記本体ユニットに接近する向きに、上記トレイ本体部の重力によるモーメントよりも大きなモーメントを発生させる当接部と、を具備するシート搬送装置。
【請求項９】
上記本体ユニットは、上記搬送経路を搬送されるシートに画像を記録する記録部を有する請求項１から８のいずれかに記載のシート搬送装置。
【請求項１０】
上記本体ユニットに対して、上記第２軸に平行な第３軸周りに、第１位置及び当該第１位置よりも回動先端が上記本体ユニットから離れた第２位置に回動可能な回動ユニットと、
上記回動ユニットの上記回動位置への回動に連動させて、上記閉位置の上記トレイカバーを上記開位置へ回動させる連動機構と、を備える請求項９に記載のシート搬送装置。
【発明の詳細な説明】
【技術分野】
【０００１】
本発明は、シートを搬送可能なシート搬送装置に関する。
【背景技術】
【０００２】
画像記録装置は、通常、画像が記録されるシートを搬送する搬送経路を有し、シート搬送装置としての機能を有する。画像記録装置は、シートの搬送経路を備えた本体ユニットを具備する。
【０００３】
特許文献１には、シートを搬送経路へ案内する手差し給紙部を有する画像記録装置が開示されている。手差し給紙部は、本体ユニットの背面に設けられている。手差し給紙部は、ユーザが画像の記録を所望する任意のシートが支持されるトレイ本体部を有する。
【０００４】
トレイ本体部は、手差し給紙部が使用されない状態では、本体ユニットの背面に沿った起立位置とされる。手差し給紙部を使用する場合には、トレイ本体部は、トレイ本体部の上部が本体ユニットの背面から離れた傾斜位置とされる。
【０００５】
トレイ本体部の上部には、手差し給紙部が使用されない場合に、トレイ本体部と本体ユニットとの間の空間を覆うトレイカバーが設けられている。トレイカバーは、トレイ本体部の上部に回動可能に支持される。トレイカバーは、トレイ本体部と本体ユニットの背面との間の空間を覆う閉位置と、当該空間を上方に開放する開位置とに回動可能である。
【０００６】
手差し給紙部を使用してシートを給紙する場合には、トレイ本体部が傾斜位置とされて、トレイカバーが開位置に回動される。これにより、トレイ本体部の上部と本体ユニットとの間に形成された空間が開放される。このような状態で、傾斜位置になったトレイ本体部上にシートが載置される。トレイ本体部上に支持されたシートは、本体ユニット内の搬送経路に供給される。
【先行技術文献】
【特許文献】
【０００７】
【特許文献１】特開２０１４−１９６１９３号公報
【発明の概要】
【発明が解決しようとする課題】
【０００８】
上記の画像記録装置では、傾斜位置になったトレイ本体部に対して、開位置のトレイカバーを閉位置に回動させても、トレイ本体部は傾斜位置を維持する。この場合には、トレイカバーは、本体ユニットとトレイ本体部との間の空間を所定の状態で覆うことができないため、当該空間内に塵埃等の異物が侵入するおそれがある。ユーザは、当該空間がトレイカバーによって覆われた所定の状態にするためには、トレイ本体部を傾斜位置から起立位置に戻す必要がある。このような操作は、ユーザによっては、煩わしく感じる場合がある。
【０００９】
本発明は、上記問題に鑑みてなされたものであり、その目的は、傾斜位置になったトレイ本体部に対して開位置のトレイカバーを閉位置に戻すだけで、トレイ本体部を起立位置に戻すことができるシート搬送装置を提供することにある。
【課題を解決するための手段】
【００１０】
(1)  本発明に係るシート搬送装置は、シートの搬送経路を有する本体ユニットと、上記本体ユニットに対して、第１軸を中心として、起立位置と、当該起立位置よりも上部が上記本体ユニットから離間した傾斜位置とに回動可能であって、上記搬送経路に供給されるシートを支持するトレイ本体部と、上記トレイ本体部に配置されており、上記第１軸と平行な第２軸を中心として、上記起立位置における上記トレイ本体部と上記本体ユニットとの間の空間を覆う閉位置と、当該空間を開放する開位置とに回動可能なトレイカバーと、上記トレイカバーに設けられており、当該トレイカバーが上記閉位置であるときに上記空間内に位置する第１部材と、上記本体ユニットに設けられており、上記トレイ本体部が上記傾斜位置であるときに、上記トレイカバーが自重によって上記開位置から上記閉位置に回動する際に上記第１部材に摺接して、上記トレイ本体を上記起立位置へ回動させる第２部材と、を具備する。
【００１１】
トレイ本体部が傾斜位置の場合、トレイカバーが自重によって閉位置に回動する場合に第１部材と第２部材とが摺接する。これにより、トレイカバーの全体が起立位置に回動される。
【００１２】
(2)  好ましくは、上記トレイカバーは、上記傾斜位置の上記トレイ本体部に対して上記開位置であるときに、上記トレイ本体部と共にシートを支持する支持面を有する。ユーザがトレイ本体部上にシートをセットすると、シートは、傾斜位置のトレイ本体部と、開位置になったトレイカバーの支持面とによって安定的に支持される。
【００１３】
(3)  好ましくは、上記第１部材は、第１摺接面を有し、上記第２部材は、第２摺接面を有し、上記第１摺接面及び上記第２摺接面のいずれか一方は、上記第１摺接面及び上記第２摺接面の他方に向かって円弧状に突出する湾曲面である。第１摺接面と第２摺接面とが摺接すると、第１部材が本体ユニットに接近するにつれて、トレイ本体部が円滑に起立位置に回動される。
【００１４】
(4)  好ましくは、上記第１摺接面は、上記支持面となす角度が、上記第２軸へ接近するにつれて小さくなっており、上記第２摺接面は、上記湾曲面である。第１摺接面と第２摺接面との摺接状態が継続すると、第１部材が本体ユニットに接近するにつれて、トレイ本体部が緩やかに起立位置とされる。
【００１５】
(5)  好ましくは、上記第１部材は、上記閉位置の上記トレイカバーにおける上記第２部材と係合して上記トレイ本体部が、上記起立位置から上記傾斜位置への回動を規制する係合部を有する。閉位置のトレイカバーが係合部に係合されることにより、トレイ本体部は安定的に起立位置に維持される。
【００１６】
(6)  好ましくは、上記第１部材は、上記トレイ本体部に支持されるシートの側縁をガイドするものである。傾斜位置のトレイ本体部及び開位置のトレイカバーに支持されたシートは、第１部材によって安定的に本体ユニットの搬送経路に供給される。
【００１７】
(7)  好ましくは、上記トレイカバー及び上記トレイ本体部のいずれか一方に設けられており、上記トレイカバーの重心位置よりも上記第２軸に近い位置において上記トレイカバー及び上記トレイ本体部の他方と当接して、上記トレイ本体部の上部において、上記本体ユニットに接近する向きに、上記トレイ本体部の重力によるモーメントよりも大きなモーメントを発生させる当接部をさらに具備する。
【００１８】
当接部とトレイ本体部又はトレイ本体部との当接により、トレイ本体部の上部には、本体ユニットに接近する向きに、トレイカバーの自重によるモーメントよりも大きなモーメントが作用する。このモーメントにより、トレイ本体部は、より一層円滑に起立位置とされる。
【００１９】
(8)  本発明に係る別の局面のシート搬送装置は、シートの搬送経路を有する本体ユニットと、上記本体ユニットに、第１軸を中心として、起立位置と、当該起立位置よりも上部が上記本体ユニットから離間した傾斜位置とに回動可能であって、上記搬送経路に供給されるシートを支持するトレイ本体部と、上記トレイ本体部に配置されており、上記第１軸とは平行な第２軸を中心として、上記起立位置の上記トレイ本体部と上記本体ユニットとの間の空間を覆う閉位置と、当該空間を開放する開位置に回動可能なトレイカバーと、上記トレイカバー及び上記トレイ本体部のいずれか一方に設けられており、上記トレイカバーの重心位置よりも上記第２軸に近い位置において上記トレイカバー及び上記トレイ本体部の他方と当接して、上記トレイ本体部の上部において、上記本体ユニットに接近する向きに、上記トレイ本体部の重力によるモーメントよりも大きなモーメントを発生させる当接部と、を具備する。
【００２０】
トレイ本体部が傾斜位置でトレイカバーが開位置から閉位置に回動して、当接部がトレイ本体部又はトレイ本体部に当接すると、トレイ本体部の上部には、本体ユニットに接近する向きに、トレイカバーの自重によるモーメントよりも大きなモーメントが作用する。このモーメントにより、トレイ本体部は円滑に起立位置とされる。
【００２１】
(9)  好ましくは、上記本体ユニットは、上記搬送経路を搬送されるシートに画像を記録する記録部を有する。
【００２２】
(10)  好ましくは、上記本体ユニットに対して、上記第２軸に平行な第３軸周りに、第１位置及び当該第１位置よりも回動先端が上記本体ユニットから離れた第２位置に回動可能な回動ユニットと、上記回動ユニットの上記回動位置への回動に連動させて、上記閉位置の上記トレイカバーを上記開位置へ回動させる連動機構と、を備える。回動ユニットが第１位置から第２位置への回動すると、連動機構によりトレイカバーは開位置とされる。
【発明の効果】
【００２３】
本発明によれば、開位置のトレイカバーを閉位置にするだけで、傾斜位置になったトレイ本体部を起立位置に戻すことができる。
【図面の簡単な説明】
【００２４】
【図１】図１は、複合機１０の外観斜視図である。
【図２】図２は、手差し給紙を実行する場合における複合機１０の後部の斜視図である。
【図３】図３は、本体ユニット１１の内部構造を示す縦断面図である。
【図４】図４は、手差し給紙を実行する場合における複合機１０の後部の断面図である。
【図５】図５は、手差し給紙を実行しない場合に、原稿カバー７２が第１位置となった複合機１０の後部の断面図である。
【図６】図６は、バイパストレイ６０のトレイ本体部６１が水平状態とされた場合の複合機１０の後部の斜視図である。
【図７】図７は、トレイ支持部５０及びバイパストレイ６０の構成を説明するための斜視図である。
【図８】図８は、トレイ支持部５０とバイパストレイ６０のトレイ本体部６１とを分離した状態の斜視図である。
【図９】図９（Ａ）は、手差し給紙を実行しない場合のバイパストレイ６０の断面図である。図９（Ｂ）は、手差し給紙を実行する場合のバイパストレイ６０の断面図である。
【図１０】図１０は、トレイ本体部６１が傾斜位置で、トレイカバー６２が開位置から閉位置に回動する場合のバイパストレイ６０の断面図である。
【発明を実施するための形態】
【００２５】
以下、本発明の実施形態に係る複合機１０（本発明のシート搬送装置の一例）について説明する。なお、以下に説明される実施形態は本発明の一例にすぎず、本発明の要旨を変更しない範囲で、実施形態を適宜変更できることは言うまでもない。
【００２６】
［複合機１０の全体構成］
図１に示される複合機１０（「シート搬送装置」の一例）は、プリント機能、スキャン機能、ＦＡＸ機能等の各種機能を有する。なお、以下の説明においては、複合機１０が使用可能に設置された図１の状態を基準として、複合機１０の上下方向７、前後方向８及び左右方向９（以下、「幅方向９」とする）が定義される。
【００２７】
複合機１０は、プリント動作を実行する本体ユニット１１と、本体ユニット１１上に設けられたスキャナユニット７０とを有する。本体ユニット１１の背面１１Ｂには、バイパストレイ６０が設けられている。
【００２８】
複合機１０は、本体ユニット１１の下部に装着された給送トレイ１３を有する。給送トレイ１３は、本体ユニット１１に対して着脱可能になっている。給送トレイ１３の内部には、画像が記録されるシートが収容される。本体ユニット１１は、給送トレイ１３内に収容されたシートに画像を記録する。バイパストレイ６０は、本体ユニット１１において、給送トレイ１３内のシートとは別のシートに画像を記録するために、当該別のシートを手差し給紙する場合に使用される。スキャナユニット７０は、原稿の画像データを取得する場合に使用される。
【００２９】
バイパストレイ６０は、手差し給紙を実行しない場合には、図１に示される状態とされ、手差し給紙を実行する場合には、図２に示される状態とされる。バイパストレイ６０は、図２に示されるように、本体ユニット１１の背面１１Ｂにおける左右の両端に設けられたトレイ支持部５０によって支持されている。バイパストレイ６０の詳細については後述される。
【００３０】
＜本体ユニット１１＞
図３に示されるように、本体ユニット１１の内部には、給送トレイ１３内のシートが搬送される搬送経路１４が設けられている。本体ユニット１１の上部には、搬送経路１４を搬送されるシートに、インクジェット方式で画像を記録する記録部３１が設けられている。記録部３１の下方には、記録部３１によって画像が記録されるシートを支持するプラテン３８が設けられている。
【００３１】
搬送経路１４は、給送トレイ１３内のシートを、本体ユニット１１の後部（背面部）において下方から上方に向けて案内する第１搬送経路１４Ａを有する。搬送経路１４は、第１搬送経路１４Ａに連続する第２搬送経路１４Ｂを有する。第２搬送経路１４Ｂは、シートを本体ユニット１１の後部から前向きに直線的に搬送する。第２搬送経路１４Ｂは、記録部３１とプラテン３８との間を通過している。第２搬送経路１４Ｂには、バイパストレイ６０からもシートが供給される。
【００３２】
本体ユニット１１内には、給送トレイ１３内のシートを、搬送経路１４の第１搬送経路１４Ａに供給する給送部１５が設けられている。給送部１５は、給送トレイ１３上に配置された支持アーム１５Ｂを有する。支持アーム１５Ｂの前端部は、幅方向９に沿った支持軸１５Ｃに支持されている。支持アーム１５Ｂの後端部には、幅方向９に沿った状態の給送ローラ１５Ａが回転可能に支持されている。
【００３３】
支持アーム１５Ｂの後端部が支持軸１５Ｃを中心として下向きに回動されると、給送ローラ１５Ａは、給送トレイ１３内における最上部のシートに当接し、上向きに回動されると、当該シートから離間する。給送ローラ１５Ａは、動力伝達機構１５Ｄによって図示しないモータの動力が伝達されて、所定方向に回転される。給送トレイ１３内の最上部のシートは、回転される給送ローラ１５Ａが当接することによって、搬送経路１４の第１搬送経路１４Ａに供給される。
【００３４】
第１搬送経路１４Ａと第２搬送経路１４Ｂとの間には、第１搬送経路１４Ａを通過したシートを第２搬送経路１４Ｂへ搬送する第１ローラ対２１が設けられている。第１ローラ対２１は、シートの上面に接する１つの第１搬送ローラ２２と、シートの下面に接する複数のピンチローラ２３とを有する。各ピンチローラ２３は、第１搬送ローラ２２に接した状態では、第１搬送ローラ２２の回転に追従して回転する。第１搬送ローラ２２及びピンチローラ２３は、相互に回転された状態で両者の間にシートが搬送されると、当該シートを挟持（ニップ）してプラテン３８上へ搬送する。
【００３５】
第１ローラ対２１の後方には、バイパストレイ６０から供給されるシートの挿入口２６が設けられている。図４に示されるように、挿入口２６の後方の上部には、バイパストレイ６０に支持されたシートを第１ローラ対２１へ供給するバイパス給送部２５が設けられている。バイパス給送部２５の構成については後述する。
【００３６】
図３に示されるように、プラテン３８に対してシート搬送向きの下流には、第２ローラ対４１が設けられている。第２ローラ対４１は、第２搬送経路１４Ｂの下方に配置された複数の第２搬送ローラ４２と、第２搬送ローラ４２の上方に配置された複数の拍車ローラ４３とを有する。各拍車ローラ４３は、周方向に連続する凹凸形状の拍車部を外周に有する。拍車ローラ４３は、第２搬送ローラ４２から離間した状態と、第２搬送ローラ４２に接した状態とに移動可能である。拍車ローラ４３は、第２搬送ローラ４２に接した状態になると、第２搬送ローラ４２の回転に追従して回転する。第２搬送ローラ４２及び拍車ローラ４３は、相互に回転された状態で両者の間にシートが搬送されると、当該シートを挟持して、排紙トレイ１７上に排出する。排紙トレイ１７は、給送トレイ１３の上方に配置されている。
【００３７】
＜スキャナユニット７０＞  
スキャナユニット７０は、フラットベッドスキャナであり、図１に示されるように、本体ユニット１１上に設けられたスキャナ本体７１と、スキャナ本体７１上に配置される原稿カバー７２（「回動ユニット」の一例）とを有する。原稿カバー７２の後部は、スキャナ本体７１の後部上に位置している。原稿カバー７２の後部と、スキャナ本体７１の後部とは、幅方向９に沿った１本の軸線７２Ｌ（「第３軸」に対応）を中心として回動可能に連結されている。原稿カバー７２の前端部は、軸線７２Ｌを中心として上下方向７に回動する回動先端部である。
【００３８】
図５に示されるように、スキャナ本体７１の上面には、原稿が載置されるプラテンガラス７１Ａが設けられている。スキャナ本体７１の内部には、プラテンガラス７１Ａ上の原稿の画像を光学的に読み取り可能なイメージセンサ（図示されず）が設けられている。プラテンガラス７１Ａ上には、画像が読み取られる原稿が載置される。
【００３９】
原稿カバー７２の回動先端部は、プラテンガラス７１Ａを覆った第１位置から上向きに回動可能である。原稿カバー７２は、プラテンガラス７１Ａを覆った第１位置から９０°にわたって上向きに回動された「第２位置」とされる。
【００４０】
原稿カバー７２には、画像が読み取られる複数枚の原稿を１枚ずつピックアップして搬送する自動原稿搬送装置（ＡＤＦ：図示されず）が設けられている。ＡＤＦの構造は公知の構成が採用されるので詳細な説明が省略される。
【００４１】
［本体ユニット１１のバイパス給送部２５］
本体ユニット１１の後部に設けられるバイパス給送部２５は、図６に示されるように、幅方向９の中央部に配置された２個のバイパスローラ２５Ａを有する。バイパスローラ２５Ａには、図４に示される動力伝達機構２５Ｃを介して動力が伝達されて回転される。
【００４２】
図４に示されるように、動力伝達機構２５Ｃの前方にはバイパスカバー５５（「第２摺接部材」の一例）が設けられている。動力伝達機構２５Ｃの前方は、バイパスカバー５５によって覆われている。バイパスカバー５５は、後述するトレイ支持部５０に支持されている。バイパスカバー５５の詳細については後述する。
【００４３】
［本体ユニット１１のトレイ支持部５０］
本体ユニット１１の後部に設けられるトレイ支持部５０は、図７に示されるように、幅方向９の両側にそれぞれ配置された側壁部５１を有する。各側壁部５１には、バイパスカバー５５における幅方向９の両端の下部が支持されている。バイパスカバー５５は、各側壁部５１の間に架設されている。図８に示されるように、両側壁部５１の間には、下部ガイド板５２及び後側板５３が設けられている。下部ガイド板５２の後部の上方には、バイパストレイ６０におけるトレイ本体部６１の下部が位置している。トレイ本体部６１の上部には、図７に示されるトレイカバー６２が支持されている。
【００４４】
図６に示されるように、本体ユニット１１における幅方向９の左端部に設けられた側壁部５１には、スキャナユニット７０の原稿カバー７２の回動と、バイパストレイ６０に設けられたトレイカバー６２の回動とを連動させる連動機構８０が設けられている。連動機構８０の詳細については後述する。
【００４５】
図７に示されるように、各側壁部５１は、幅方向９の両外に設けられた側壁カバー５１Ａを有する。各側壁カバー５１Ａは、上下方向７に長い板状であって前後方向８に沿って配置されている。各側壁部５１には、側壁カバー５１Ａよりも幅方向９の中央部に近接した位置において、側壁カバー５１Ａとは平行に配置された側面部５１Ｂをそれぞれ有する。側面部５１Ｂは、後部が前部よりも、幅方向９の両外に位置しており、前部と後部との間に上下方向７に沿った段差部５１Ｊ（図８参照）が形成されている。
【００４６】
側面部５１Ｂにおける前端縁には、上下方向７の中程に、バイパスカバー５５の下端部における幅方向９の両端を支持するカバー支持部５１Ｃが設けられている。図８に示されるように、各カバー支持部５１Ｃは、筒状に構成されており、軸方向が上下方向７に沿って配置されている。各カバー支持部５１Ｃには、バイパスカバー５５における幅方向９の両外の下端部に設けられた支持体（図示せず）が嵌合されている。
【００４７】
図４に示されるように、バイパスカバー５５は、上端部が下端部よりも後方に位置するように傾斜している。バイパスカバー５５の上端部には、上向きに円弧状に突出した湾曲面５５Ａが設けられている。湾曲面５５Ａには、後向きに延出する上面部５５Ｂが連続して設けられている。上面部５５Ｂは、下向きに傾斜している。バイパスカバー５５は「第２部材」の一例であり、湾曲面５５Ａは、「第２摺接面」の一例である。
【００４８】
図８に示されるように、下部ガイド板５２及び後側板５３は一体に構成されている。下部ガイド板５２は平板状である。下部ガイド板５２は、各側面部５１Ｂにおける上下方向７の中程において、ほぼ一定の高さで幅方向９に沿って配置されている。後側板５３も平板状であり、下部ガイド板５２の後端部から上向きに延出している。図４に示されるように、下部ガイド板５２の前端部は、挿入口２６の下方に位置している。後側板５３の上端は、側面部５１Ｂの後部における上下方向７の中程において、一定の高さになっている。
【００４９】
図８に示されるように、本体ユニット１１における幅方向９の左端部に位置する側面部５１Ｂには、後側板５３の上端よりも上方において、内向きに突出する第１軸体５１Ｅが設けられている。本体ユニット１１における幅方向９の右端部に位置する側面部５１Ｂにも、図示されないが、同様の第１軸体５１Ｅが設けられている。各第１軸体５１Ｅは円柱形状であり、相互に同軸状態で配置されている。各第１軸体５１Ｅの軸心は、１本の直線である第１軸５１Ｌ上に位置している。
【００５０】
各側壁部５１には、第１軸体５１Ｅの下方にガイド溝５１Ｆがそれぞれ設けられている。各ガイド溝５１Ｆには、後述するように、バイパストレイ６０のトレイ本体部６１に設けられたるガイド軸６１Ｈがそれぞれスライド可能に嵌合している。各ガイド溝５１Ｆは、下端部が上端部よりも前方に位置するように傾斜した第１ガイド部５１Ｇと、第１ガイド部５１Ｇの下端部から後向きに延出する第２ガイド部５１Ｈとを有する。第１ガイド部５１Ｇの上端部は、第１軸体５１Ｅに近接している。第２ガイド部５１Ｈは、第１軸体５１Ｅを中心とする円周に沿った円弧状になっている。
【００５１】
［バイパストレイ６０］
バイパストレイ６０は、図８に示されたトレイ本体部６１と、トレイ本体部６１の上部に支持されたトレイカバー６２（図７参照）とを有する。図８に示されるように、トレイ本体部６１は、トレイ支持部５０における両側壁部５１の間に配置されている。
【００５２】
トレイ本体部６１は、幅方向９に沿って配置された平板状のシート支持部６１Ａと、シート支持部６１Ａの幅方向９の両端に設けられたトレイ側面部６１Ｂとを有する。シート支持部６１Ａは、トレイ支持部５０の両側壁部５１の間に配置されており、各トレイ側面部６１Ｂが、トレイ支持部５０の各側壁部５１における側面部５１Ｂに対向している。
【００５３】
各トレイ側面部６１Ｂは、シート支持部６１Ａにおける幅方向９の両側に位置する側縁に沿った板状であり、シート支持部６１Ａから前方に突出している。各トレイ側面部６１Ｂの下部には、前方に円弧状に突出した当接部６１Ｋが設けられている。当接部６１Ｋは、トレイ本体部６１が傾斜位置になることにより、トレイ支持部５０の各側面部５１Ｂに設けられた段差部５１Ｊに当接する。
【００５４】
各トレイ側面部６１Ｂの下端は、シート支持部６１Ａの下端よりも下方に位置している。各トレイ側面部６１Ｂの下端部には、外向きに突出するガイド軸６１Ｈがそれぞれ設けられている。各ガイド軸６１Ｈは円柱形状になっており、相互に同軸状態で配置されている。各ガイド軸６１Ｈの軸心は、１本の直線６１Ｌ上に位置している。図１０に示されるように、各ガイド軸６１Ｈは、トレイ支持部５０の各側面部５１Ｂに設けられたガイド溝５１Ｆにスライド可能に挿入されている。
【００５５】
図８に示されるように、各トレイ側面部６１Ｂの下部には、スライド溝６１Ｃ（図８には一方のみが現れている）が設けられている。各スライド溝６１Ｃは、幅方向９の両外に向かって開口している。各スライド溝６１Ｃには、トレイ支持部５０の各側面部５１Ｂにそれぞれ設けられた第１軸体５１Ｅが嵌合される。図９（Ａ）及び（Ｂ）に示されるように、各スライド溝６１Ｃは、トレイ側面部６１Ｂの長手方向に沿って直線状に延びる第１溝部６１Ｅと、第１溝部６１Ｅの下端部から前方に延出する第２溝部６１Ｆとを有する。第２溝部６１Ｆは、ガイド軸６１Ｈを中心とする円周に沿った円弧状になっている。
【００５６】
第１溝部６１Ｅの上部内には、第１溝部６１Ｅの上端部を区画する隔壁部６１Ｇが設けられている。隔壁部６１Ｇは、第１溝部６１Ｅの上端部内に、第１軸体５１Ｅが回動可能に嵌合できる空間が形成されるように配置されている。隔壁部６１Ｇは、幅方向９の両外に突出している。隔壁部６１Ｇは、シート支持部６１Ａが、第１溝部６１Ｅに沿って、第２溝部６１Ｆから離れる向きにスライドされると、第１溝部６１Ｅにおける上端部の空間内に嵌合された第１軸体５１Ｅが乗り越えることが可能である。
【００５７】
トレイ本体部６１は、第１溝部６１Ｅの空間内に嵌合された各第１軸体５１Ｅの第１軸５１Ｌ（図８参照）を中心として回動可能である。トレイ本体部６１は、上部が本体ユニット１１の背面１１Ｂに接近する向き（前向き）に回動すると、背面１１Ｂに沿った起立位置になる。トレイ本体部６１が起立位置になると、シート支持部６１Ａと本体ユニット１１の背面１１Ｂとの間に空間が形成される。
【００５８】
シート支持部６１Ａの上部が本体ユニット１１の背面１１Ｂから離間する方向に回動すると、ガイド軸６１Ｈが、ガイド溝５１Ｆの第２ガイド部５１Ｈを構成する周面に当接する。また、トレイ本体部６１は、各トレイ側面部６１Ｂの下部に設けられた当接部６１Ｋがトレイ支持部５０の各側面部５１Ｂに設けられた段差部５１Ｊに当接する。これにより、シート支持部６１Ａが所定の角度で傾斜した傾斜位置で停止される。トレイ本体部６１が傾斜位置の場合、後述するように、トレイカバー６２が「開位置」になると、ユーザは、傾斜したシート支持部６１Ａ上にシートを支持させることが可能になる。
【００５９】
トレイ本体部６１が傾斜位置になると、トレイ本体部６１に設けられたガイド軸６１Ｈは、トレイ支持部５０の各側面部５１Ｂに設けられたガイド溝５１Ｆの第２ガイド部５１Ｈ内に位置している。このために、トレイ本体部６１が各第１軸体５１Ｅの第１軸５１Ｌを中心として回動すると、ガイド軸６１Ｈは、第２ガイド部５１Ｈに沿ってスライドする。これにより、トレイ本体部６１は、各第１軸体５１Ｅの第１軸５１Ｌを中心として円滑に回動する。トレイ本体部６１が傾斜位置になると、ガイド軸６１Ｈは、ガイド溝５１Ｆの第２ガイド部５１Ｈにおける最も前方の第１ガイド部５１Ｇの下端部内に位置される。
【００６０】
前述したように、第１溝部６１Ｅにおける上端部の空間内に嵌合された第１軸体５１Ｅは、傾斜位置のシート支持部６１Ａが傾斜方向に沿って上向きにスライドされると、隔壁部６１Ｇを乗り越える。この場合、第１軸体５１Ｅは、第１溝部６１Ｅに沿って、第２溝部６１Ｆに接近する向きにスライドされる。
【００６１】
第１軸体５１Ｅがスライドすると、ガイド軸６１Ｈは、ガイド溝５１Ｆの第１ガイド部５１Ｇ内を下端部から上向きにスライドする。ガイド軸６１Ｈが第１ガイド部５１Ｇの上端部に達すると、第１軸体５１Ｅは、スライド溝６１Ｃにおける第１溝部６１Ｅの下端部に位置される。
【００６２】
これにより、ガイド軸６１Ｈと、ガイド溝５１Ｆの第２ガイド部５１を構成する周面との当接が解消される。各トレイ側面部６１Ｂの当接部６１Ｋとトレイ支持部５０の段差部５１Ｊとの当接も解消される。このとき、第１軸体５１Ｅは、スライド溝６１Ｃの第２溝部６１Ｆ内にスライド可能になっている。その結果、トレイ本体部６１は、自重により、ガイド軸６１Ｈを中心として、トレイ本体部６１の上部を下向きに回動させる力が作用する。この力により、トレイ本体部６１の上部が下向きに回動され、第１軸体５１Ｅは、スライド溝６１Ｃの第２溝部６１Ｆ内をスライドする。トレイ本体部６１がほぼ水平な状態になると、トレイ本体部６１はトレイ支持部５０における後側板５３の上端に当接する。これにより、トレイ本体部６１は、図６に示されるように、水平状態で停止される。
【００６３】
図８に示されるように、トレイ本体部６１における各トレイ側面部６１Ｂの上部には、トレイ本体部６１が起立位置の場合に前向き突出する突部６１Ｐがそれぞれ設けられている。各突部６１Ｐの上面６１Ｑは、シート支持部６１Ａと直交する方向に延びている。また、各トレイ側面部６１Ｂの上部には、円形状の貫通孔６１Ｒが設けられている。各貫通孔６１Ｒは同軸状態で形成されており、それぞれの軸心は、１本の直線である第２軸６２Ｌ上に位置している。各貫通孔６１Ｒには、後述するように、トレイカバー６２に設けられた第２軸体６２Ｙ（図９（Ａ）及び（Ｂ）参照）が回動可能に嵌合される。
【００６４】
シート支持部６１Ａの後部には、突部６１Ｐに対して幅方向９の中央部に近接した位置に、突部６１Ｐとは平行に前向きに突出する突出体６１Ｓが設けられている。突出体６１Ｓは、突部６１Ｐに近接した位置において、突部６１Ｐに対向して配置されている。突出体６１Ｓは、突部６１Ｐの上面６１Ｑと同じ高さで平行になった上面６１Ｔを有する。
【００６５】
図７に示されるように、トレイ本体部６１に支持されるトレイカバー６２は板状であり、長手方向が幅方向９に沿って配置されている。トレイカバー６２における長手方向に沿った一方の側縁部６２Ａ（以下、「第１側縁部６２Ａ」とする）は、トレイ本体部６１におけるシート支持部６１Ａの上端縁に沿って配置されている。トレイカバー６２は、第１側縁部６２Ａが、シート支持部６１Ａの上端縁に沿った状態で、トレイカバー６２における他方の側縁部６２Ｃ（以下、「第２側縁部６２Ｃ」とする）が、原稿カバー７２の背面７２Ｂに近接した位置とされる。第２側縁部６２Ｃは、原稿カバー７２の背面７２Ｂに近接した位置から上向きに回動可能である。
【００６６】
図９（Ａ）に示されるように、トレイカバー６２の第２側縁部６２Ｃが原稿カバー７２の背面７２Ｂに近接した位置になると、トレイカバー６２は水平状態になる。この場合に、トレイカバー６２における上方に向けられる面を「表面６２Ｄ」とする。表面６２Ｄは、ほぼ全面にわたって平坦面になっている。図９（Ａ）に示されるように、トレイカバー６２は、水平状態において下方に向けられる平面部６２Ｈを有する。
【００６７】
図２に示されるように、平面部６２Ｈにおける幅方向９の右端の近傍には、第２軸体６２Ｙが設けられている。また、図７に示されるように、平面部６２Ｈにおける幅方向９の左端の近傍の第２軸体６２Ｙが設けられている。各第２軸体６２Ｙは、トレイ本体部６１における各トレイ側面部６１Ｂのそれぞれの上方に対応する位置に設けられている。第２軸体６２Ｙのそれぞれは、各トレイ側面部６１Ｂの上部に設けられた貫通孔６１Ｒ内に回動可能に挿入されている。
【００６８】
各第２軸体６２Ｙはそれぞれ円柱形状になっており、同軸状態で配置されている。各第２軸体６２Ｙの軸心は、図８に示されるように、各貫通孔６１Ｒの軸心が位置される第２軸６２Ｌ上に位置している。トレイカバー６２は、第２軸６２Ｌを中心として回動可能である。
【００６９】
トレイ本体部６１が本体ユニット１１の背面１１Ｂに沿った起立位置になっている場合に、トレイカバー６２が水平状態になると、トレイカバー６２は、トレイ本体部６１におけるシート支持部６１Ａの上部と、本体ユニット１１の背面１１Ｂとの間の空間を覆う。以下、このようなトレイカバー６２の位置を「閉位置」（図９（Ａ）参照）とする。閉位置のトレイカバー６２における第２側縁部６２Ｃが上向きに回動されると、トレイカバー６２は、シート支持部６１Ａの上部と、本体ユニット１１の背面１１Ｂとの間の空間を開放する。トレイカバー６２は、シート支持部６１Ａに沿った状態になるまで回動可能である。以下においては、シート支持部６１Ａに沿ったトレイカバー６２の位置を「開位置」（図９（Ｂ）参照）とする。
【００７０】
トレイ本体部６１が傾斜位置でトレイカバー６２が開位置の場合に、シート支持部６１Ａに沿ってシートが支持されると、シートの上部は、トレイカバー６２上に支持される。
【００７１】
図７に示されるように、トレイカバー６２には、支持されるシートが本体ユニット１１の内部に供給される際に、幅方向９の両外の側縁をガイドする２個の案内部材６３が設けられている。各案内部材６３は、トレイカバー６２の平面部６２Ｈ上に配置されている。各案内部材６３は、平面部６２Ｈから、表面６２Ｄが露出する向きとは反対向きに突出している。各案内部材６３は、図示されないラック及びピニオン機構により、同期して、相互に接近する方向及び相互に離間する方向に移動可能になっている。
【００７２】
各案内部材６３は、シートが支持される平板状の台部６３Ａと、台部６３Ａからトレイカバー６２の表面６２Ｄから離間する向きに突出する突出部６３Ｂとを有する。台部６３Ａは、トレイカバー６２の長手方向とは直交する方向に沿って配置されている。台部６３Ａは、第２側縁部６２Ｃに近接した第１部分６３Ｍと、第１側縁部６２Ａに近接した第２部分６３Ｎとを有する。第１部分６３Ｍの表面は、シートが支持される平坦なシート支持面６３Ｄになっている。第２部分６３Ｎの表面は、シート支持面６３Ｄよりもトレイカバー６２の表面６２Ｄに近接している。
【００７３】
各突出部６３Ｂは、トレイカバー６２の長手方向と直交する前後方向８に沿って配置されている。各突出部６３Ｂにおける幅方向９において相互に対向する面は、シートにおける幅方向９の両端に位置する側縁を案内する案内面６３Ｇになっている。シート支持面６３Ｄ上に支持されるシートは、各突出部６３Ｂが同期して相互に接近する方向に移動すると、各案内面６３Ｇによって、本体ユニット１１における幅方向９の中央位置に対して整合される。整合されたシートは、バイパス給送部２５によって本体ユニット１１内に供給される際に、各突出部６３Ｂの案内面６３Ｇによって幅方向９の両端の各側縁が案内される。
【００７４】
図９（Ａ）及び（Ｂ）に示されるように、各突出部６３Ｂは、第１部分６３Ｍからの突出量が最大になった突出先端部６３Ｆを有する。突出先端部６３Ｆにおける第１部分６３Ｍから最も離れた部分は、シート支持面６３Ｄに平行な平坦面になっている。突出先端部６３Ｆは、第１側縁部６２Ａに向かって傾斜状態で延出する第１傾斜面６３Ｊが連続して設けられている。第１傾斜面６３Ｊは、シート支持面６３Ｄに対して比較的大きな角度（８０°程度）で傾斜している。
【００７５】
第１傾斜面６３Ｊは、第１側縁部６２Ａに向かって傾斜状態で延出する第２傾斜面６３Ｋと連続して設けられている。第２傾斜面６３Ｋは、シート支持面６３Ｄに対する傾斜角度が第１傾斜面６３Ｊよりも小さく、３０°程度になっている。
【００７６】
第２傾斜面６３Ｋには、第１側縁部６２Ａに向かって傾斜状態で延出する第３傾斜面６３Ｌが連続して設けられている。第３傾斜面６３Ｌは、シート支持面６３Ｄに対する傾斜角度が第２傾斜面６３Ｋよりも小さく、１０°程度になっている。突出部６３Ｂは、「第１部材」の一例である。第１傾斜面６３Ｊ、第２傾斜面６３Ｋ、第３傾斜面６３Ｌは、「第１摺接面」の一例である。
【００７７】
第３傾斜面６３Ｌに対して第２傾斜面６３Ｋとは反対の位置には、凹状に窪んだ係合部６３Ｈが設けられている。係合部６３Ｈは、図９（Ａ）に示されるように、トレイ本体部６１が起立位置であって、トレイカバー６２が閉位置になっている場合には、バイパスカバー５５の上端部に設けられた湾曲面５５Ａが係合する。係合部６３Ｈは、第１側縁部６２Ａから間隔を空けた位置に配置されている。
【００７８】
図９（Ｂ）に示されるように、トレイ本体部６１が傾斜位置にある状態から、図１０に示されるように、トレイカバー６２が閉位置に回動される際に、バイパスカバー５５の上端部に設けられた湾曲面５５Ａに、突出部６３Ｂの第１傾斜面６３Ｊが当接する。この場合、湾曲面５５Ａには、第１傾斜面６３Ｊが当接する位置に、トレイカバー６２の自重が加わる。これにより、第１傾斜面６３Ｊには、湾曲面５５Ａからの反力が、湾曲面５５Ａの放射方向（半径方向）に沿って作用する。
【００７９】
第１傾斜面６３Ｊに作用する反力には、本体ユニット１１の背面１１Ｂに接近する向きの分力（水平分力）が含まれる。第１傾斜面６３Ｊが湾曲面５５Ａに摺接する間は、この水平分力が第１傾斜面６３Ｊに作用し続ける。これにより、トレイカバー６２の全体が、本体ユニット１１の背面１１Ｂに接近する向き（前向き）に移動する。トレイカバー６２の全体が前向きに移動すると、トレイカバー６２に追従して、トレイ本体部６１におけるシート支持部６１Ａの上部が前向きに回動する。
【００８０】
第１傾斜面６３Ｊの全体が湾曲面５５Ａに摺接すると、湾曲面５５Ａには、第１傾斜面６３Ｊに連続して第２傾斜面６３Ｋが摺接する。第２傾斜面６３Ｋが湾曲面５５Ａに摺接する場合も、湾曲面５５Ａからの反力が第２傾斜面６３Ｋに作用する。トレイカバー６２は、湾曲面５５Ａからの反力に含まれる水平分力により、本体ユニット１１の背面１１Ｂに接近する向きに移動する。その結果、トレイ本体部６１におけるシート支持部６１Ａの上部が、前向きに回動する。
【００８１】
第２傾斜面６３Ｋの全体が湾曲面５５Ａに摺接すると、湾曲面５５Ａには、第２傾斜面６３Ｋに連続して第３傾斜面６３Ｌが摺接する。第３傾斜面６３Ｌが湾曲面５５Ａに摺接する場合も、湾曲面５５Ａからの反力に含まれる水平分力により、トレイカバー６２の全体が、本体ユニット１１の背面１１Ｂに接近する向きに移動する。その結果、トレイ本体部６１におけるシート支持部６１Ａの上部が前向きに回動する。
【００８２】
従って、湾曲面５５Ａに第１傾斜面６３Ｊが摺接した状態になると、湾曲面５５Ａには、第１傾斜面６３Ｊ、第２傾斜面６３Ｋ及び第３傾斜面６３Ｌが連続して摺接する。これにより、トレイ本体部６１のシート支持部６１Ａの上部が前向きに連続して回動する。
【００８３】
湾曲面５５Ａに第３傾斜面６３Ｌの全体が摺接すると、第３傾斜面６３Ｌに連続して設けられた係合部６３Ｈが湾曲面５５Ａに係合する。これにより、湾曲面５５Ａに対するトレイカバー６２の移動が停止される。従って、トレイ本体部６１におけるシート支持部６１Ａの上部の回動も停止される。その結果、トレイ本体部６１は起立位置になる。
【００８４】
この場合、第２傾斜面６３Ｋは、第１傾斜面６３Ｊよりもシート支持面６３Ｄに対する傾斜角度が小さい。このために、湾曲面５５Ａからの反力に含まれる水平分力は、第１傾斜面６３Ｊが湾曲面５５Ａに摺接する場合よりも、第２傾斜面６３Ｋが湾曲面５５Ａに摺接する場合の方が小さくなる。これにより、湾曲面５５Ａに第２傾斜面６３Ｋが摺接する場合に、トレイカバー６２が本体ユニット１１の背面１１Ｂに接近する向きへ移動する速度が、湾曲面５５Ａに第１傾斜面６３Ｊが摺接する場合よりも緩和される。
【００８５】
さらに、第３傾斜面６３Ｌは、第２傾斜面６３Ｋよりもシート支持面６３Ｄに対する傾斜角度が小さい。このために、トレイカバー６２が本体ユニット１１の背面１１Ｂに接近する向きへの移動速度が、湾曲面５５Ａに第３傾斜面６３Ｌが摺接する場合には、湾曲面５５Ａが第２傾斜面６３Ｋを摺接する場合よりも、さらに緩和される。
【００８６】
図７に示されるように、各平面部６２Ｈには、第１側縁部６２Ａに近接した位置に、幅方向９に沿った当接リブ６２Ｘ（「当接部」の一例）がそれぞれ設けられている。従って、トレイカバー６２の重心位置よりも、トレイカバー６２の回動中心である第２軸６２Ｌの近くに位置している。各当接リブ６２Ｘは、トレイ本体部６１の各トレイ側面部６１Ｂの上部に設けられた突部６１Ｐ及び突出体６１Ｓに対応して配置されている。各当接リブ６２Ｘは、平面部６２Ｈから一定の高さで突出している。各当接リブ６２Ｘは、トレイカバー６２が開位置から閉位置に回動される場合に、突部６１Ｐ及び突出体６１Ｓの上面６１Ｑ及び６１Ｔに当接する。
【００８７】
当接リブ６２Ｘは、図１０に示されるように、トレイ本体部６１が傾斜位置で、トレイカバー６２が開位置から閉位置に回動されると、突部６１Ｐ及び突出体６１Ｓの上面６１Ｑ及び６１Ｓに当接する。これにより、トレイカバー６２には、トレイカバー６２の自重によって、当接リブ６２Ｘが突部６１Ｐ及び突出体６１Ｓの上面６１Ｑ及び６１Ｓに当接した位置を支点とするモーメントが発生する。この場合、トレイカバー６２の自重は、支点となる当接リブ６２Ｘよりも第２側縁部６２Ｃに近い位置にある。このために、トレイカバー６２の第１側縁部６２Ａには、支点となる当接リブ６２Ｘを中心に上向きのモーメントが作用する。このモーメントには、第１軸体５１Ｅを中心に、トレイ本体部６１の上部を前向きに回動させるモーメントが含まれる。
【００８８】
トレイ本体部６１の上部には、トレイ本体部６１の重力によって、第１軸体５１Ｅを中心に、本体ユニット１１の背面１１Ｂに接近させる向きのモーメントとは反対向きのモーメントが作用する。この場合、トレイ本体部６１の上部において、本体ユニット１１の背面１１Ｂに接近する向きに作用するモーメントが、反対向きに作用するモーメントよりも大きくなる。その結果、トレイ本体部６１の上部は、前向きに確実に移動される。
【００８９】
図７に示されるように、トレイカバー６２には、２本の補助アーム６３Ｗが設けられている。各補助アーム６３Ｗは、図２に示されるように、トレイカバー６２内に収容された状態から、各先端部がトレイカバー６２から上向きに回動されて、図７に示される状態になる。このような状態の補助アーム６３Ｗは、トレイ本体部６１及び開位置のトレイカバー６２上に支持されたシートを支持する。
【００９０】
［連動機構８０］
図５に示されるように、連動機構８０は、トレイ支持部５０における幅方向９の左端部に配置された側壁部５１に沿って配置された回動部材８１を有する。回動部材８１は、上下方向７に沿って長い平板状であり、側壁カバー５１Ａと側面部５１Ｂとの間に配置されている。回動部材８１の下部は、幅方向９に沿って配置された回動軸８２に回動可能に支持されており、回動部材８１の上部は、前後方向８に回動可能になっている。
【００９１】
回動部材８１の上部には、回動部材８１と一体に構成されたセグメントギヤ８３が設けられている。セグメントギヤ８３は、内歯歯車の一部によって構成されており、回動軸８２を中心とした円周面に沿って配置されている。セグメントギヤ８３は、回動部材８１と一体となって前後方向８に回動する。
【００９２】
図９（Ｂ）に示されるように、セグメントギヤ８３を覆うギヤカバー８４が設けられている。ギヤカバー８４は、セグメントギヤ８３の上方において前後方向８に沿って配置された上面部８４Ｂを有する。上面部８４Ｂの前端部は、セグメントギヤ８３よりも前方に位置しており、当該前端部には、上方に延出する摺接部８４Ａが設けられている。摺接部８４Ａは、スキャナユニット７０の原稿カバー７２が第１位置の場合に、原稿カバー７２における背面７２Ｂの後方に位置している。摺接部８４Ａは、回動部材８１が最も前向き（本体ユニット１１の背面１１Ｂに接近する向き）に回動した状態で、第１位置になった原稿カバー７２における背面７２Ｂの上部に当接している。
【００９３】
摺接部８４Ａは、原稿カバー７２が第１位置から第２位置へ回動する際に、その回動に追従して、原稿カバー７２の背面７２Ｂに摺接する。このとき、原稿カバー７２の背面７２Ｂが、上下方向７に沿った状態から、上部が後方に位置するように傾斜する。摺接部８４Ａは、原稿カバー７２の背面７２Ｂが傾斜状態になるにつれて、順次、後向きに回動する。その後、さらに、原稿カバー７２が第２位置へ向かって回動すると、摺接部８４Ａは、原稿カバー７２の背面７２Ｂから、原稿カバー７２の上面７２Ｃに当接した状態になる。この場合も、摺接部８４Ａは、原稿カバー７２の上面７２Ｃが傾斜状態になるにつれて順次後向きに回動する。摺接部８４Ａが後向きに回動すると、回動部材８１は、回動軸８２を中心として後向きに回動する。
【００９４】
図５に示されるように、セグメントギヤ８３の後部の下方には、アイドルギヤ８５が設けられている。アイドルギヤ８５は、セグメントギヤ８３に噛み合う第１ギヤ８５Ａ（図５の拡大図参照）と、第１ギヤ８５Ａと一体に回転する第２ギヤ８５Ｂと、を有する。第２ギヤ８５Ｂは、第１ギヤ８５Ａと同軸状態に配置されている。アイドルギヤ８５の下方には、第２ギヤ８５Ｂに噛み合ったピニオンギヤ８６が設けられている。
【００９５】
ピニオンギヤ８６の後方には、上下方向７に沿った棒状のスライド部材８７が設けられている。スライド部材８７は、トレイ支持部５０の後部に位置している。スライド部材８７の前面には、ピニオンギヤ８６に噛み合うラックギヤ８７Ａが形成されている。スライド部材８７の上端部は、閉位置のトレイカバー６２における左端部の後部に対向している。
【００９６】
セグメントギヤ８３が、回動部材８１と一体となって後向きに回動すると、セグメントギヤ８３に噛み合ったアイドルギヤ８５の第１ギヤ８５Ａが回転する。これにより、アイドルギヤ８５の第２ギヤ８５Ｂも一体となって回転し、ピニオンギヤ８６が回転する。この場合、ピニオンギヤ８６に噛み合ったラックギヤ８７Ａが上向きに移動し、スライド部材８７の全体が上向きにスライドする。
【００９７】
スライド部材８７は、原稿カバー７２が第１位置であって、回動部材８１が後向きに回動しない状態では、最も下方に位置している。このような状態では、スライド部材８７の上端部は、トレイカバー６２における左端部の後部に当接又は近接した状態になっている。
【００９８】
このような状態で、原稿カバー７２における第１位置から第２位置になるように回動すると、スライド部材８７が上向きにスライドする。これにより、トレイカバー６２は上向きに押し上げられて、閉位置のトレイカバー６２は、原稿カバー７２における背面７２Ｂの近くに位置する第２側縁部６２Ｃは上向きに回動する。トレイカバー６２の第２側縁部６２Ｃが上向きに回動した状態になると、第１位置から第２位置へ回動する原稿カバー７２の背面７２Ｂがトレイカバー６２の第２側縁部６２Ｃに接することがない。これにより、原稿カバー７２は円滑に第２位置に回動される。
【００９９】
［バイパストレイ６０の動作］
バイパストレイ６０は、手差し給紙が実行されない場合には、図１に示される状態とされる。この状態では、トレイ本体部６１は、本体ユニット１１の背面１１Ｂに沿った起立位置になっており、トレイカバー６２は、トレイ本体部６１と本体ユニット１１との間の空間を覆った閉位置になっている。閉位置のトレイカバー６２は、トレイ本体部６１と本体ユニット１１とによって囲まれた空間に塵埃等の異物が侵入することを防止する。
【０１００】
手差し給紙が実行される場合には、トレイカバー６２が開位置とされ、トレイ本体部６１が傾斜位置とされる。これにより、図９（Ｂ）に示されるように、トレイカバー６２は、トレイ本体部６１のシート支持部６１Ａに沿った傾斜位置になる。傾斜位置のシート支持部６１Ａ上には、ユーザによってシートが支持される。シート支持部６１Ａ上に支持されたシートは、トレイカバー６２上では、案内部材６３のシート支持面６３Ｄ上に支持される。この場合、必要に応じて、補助アーム６３Ｗがトレイカバー６２から引き出されて、補助アーム６３Ｗによってシートが支持される。
【０１０１】
シート支持部６１Ａ上に支持されたシートは、バイパス給送部２５によって、本体ユニット１１内に設けられた搬送経路１４の第２搬送経路１４Ｂに供給される。第２搬送経路１４Ｂを搬送されるシートには、記録部３１によって画像が記録される。
【０１０２】
手差し給紙が終了すると、閉位置のトレイカバー６２は、ユーザによって、トレイカバー６２の自重によって回動し得る位置とされる。このような状態になると、トレイカバー６２は、自重によって閉位置にまで回動される。
【０１０３】
湾曲面５５Ａが順番に摺接する第１傾斜面６３Ｊ、第２傾斜面６３Ｋ、第３傾斜面６３Ｌは、シート支持面６３Ｄに対する傾斜角度が順番に小さくなっている。これにより、傾斜位置から起立位置に回動するトレイ本体部６１の移動速度が順次緩和される。従って、トレイ本体部６１は、円滑に起立位置とされる。
【０１０４】
案内部材６３に設けられた突出部６３Ｂの第１傾斜面６３Ｊ、第２傾斜面６３Ｋ、第３傾斜面６３Ｌが、順番に、バイパスカバー５５の上端部に設けられた湾曲面５５Ａに連続して摺接する。これにより、トレイカバー６２が、本体ユニット１１の背面１１Ｂに接近する向きに移動し、トレイ本体部６１が起立位置とされる。その後、案内部材６３に設けられた係合部６３Ｈが湾曲面５５Ａに係合する。
【０１０５】
［実施形態の効果］
本実施形態によれば、トレイカバー６２が自重によって閉位置に回動する際に、突出部６３Ｂとバイパスカバー５５との摺接により、トレイ本体部６１は起立位置になる。これにより、起立位置のトレイ本体部６１と、本体ユニット１１との間の空間が、閉位置になったトレイカバー６２によって覆われる。従って、当該空間内に塵埃等の異物が侵入することが防止される。
【０１０６】
トレイカバー６２は、傾斜位置のトレイ本体部６１に対して開位置であるときに、トレイ本体部６１と共にシートを支持するシート支持面６３Ｄを有する。これにより、ユーザがセットするシートは、傾斜位置のトレイ本体部６１と、開位置のトレイカバー６２のシート支持面６３Ｄとによって安定的に支持される。
【０１０７】
バイパスカバー５５は、円弧状に突出する湾曲面５５Ａを有し、トレイカバー６２の案内部材６３の突出部６３Ｂは、湾曲面５５Ａに摺接する第１傾斜面６３Ｊと、第２傾斜面６３Ｋと、第３傾斜面６３Ｌとを有する。これにより、トレイ本体部は、円滑に起立位置に回動される。
【０１０８】
トレイカバー６２が閉位置になると、バイパスカバー５５の湾曲面５５Ａが突出部６３Ｂの係合部６３Ｈに係合してトレイカバー６２の回動が規制される。これにより、トレイカバー６２は安定的に閉位置に維持される。突出部６３Ｂは、トレイカバー６２に支持されるシートの上部を、シートが供給される方向に沿って案内することから、シートは安定的に本体ユニット１１の搬送経路１４に供給される。
【０１０９】
トレイカバー６２には、トレイカバー６２の重心位置よりも第２軸６２Ｌに近接した位置において、トレイカバー６２が閉位置に回動する際にトレイ本体部６１に当接する当接リブ６２Ｘが設けられている。当接リブ６２Ｘとトレイ本体部６１との当接により、トレイ本体部６１の上部には、前向き（本体ユニット１１に接近する向き）に、トレイカバー６２の自重によるモーメントよりも大きなモーメントが作用する。このモーメントにより、トレイ本体部６１は、より一層円滑に起立位置とされる。
【０１１０】
［変形例］
トレイカバー６２に設けられた案内部材６３の突出部６３Ｂ（第１部材）には、第１傾斜面６３Ｊ、第２傾斜面６３Ｋ、第３傾斜面６３Ｌ（第１摺接面）を有する構成である。しかし、このような構成に限らず、第１摺接面を、２つの傾斜面、４つ以上の傾斜面、あるいは、円弧状に湾曲した湾曲面としてもよい。
【０１１１】
さらには、突出部６３Ｂ（第１部材）における、第１傾斜面６３Ｊ、第２傾斜面６３Ｋ、第３傾斜面６３Ｌ（第１摺接面）と、バイパスカバー５５（第２部材）の湾曲面５５Ａ（第２摺接面）とを逆にしてもよい。すなわち、突出部６３Ｂに、円弧状に突出する湾曲面を設けて、湾曲面に摺接する摺接面を、バイパスカバー５５に設ける構成にしてもよい。この場合の摺接面は、複数の傾斜面あるいは円弧状に湾曲する湾曲面としてもよい。
【０１１２】
第１傾斜面６３Ｊ、第２傾斜面６３Ｋ、第３傾斜面６３Ｌ（第１摺接面）に摺接する湾曲面５５Ａ（第２摺接面）は、バイパスカバー５５（第２部材）に設ける構成に限らない。湾曲面５５Ａは、本体ユニット１１において、第１摺接面に摺接できる位置に配置された第２部材に設ければよい。
【０１１３】
上記の実施形態では、トレイカバー６２に設けられた当接リブ６２Ｘが、本体ユニット１１の突部６１Ｐに当接させる構成である。しかし、本体ユニット１１の突部６１Ｐに、トレイカバー６２と当接する当接部が設けられる構成としてもよい。
【０１１４】
上記の実施形態において、トレイカバー６２に設けられた案内部材６３の突出部６３Ｂと、バイパスカバー５５の上端部に設けられた湾曲面５５Ａとが摺接しない構成としてもよい。すなわち、トレイカバー６２に設けられた当接リブ６２Ｘ（当接部）が、トレイ本体部６１の各トレイ側面部６１Ｂの上部に設けられた突部６１Ｐ及び突出体６１Ｓに当接するだけで、トレイ本体部６１を起立位置に回動させるようにしてもよい。この場合、トレイ本体部６１が安定的に起立位置になるように、トレイカバー６２の重心位置、当接リブ６２Ｘと突部６１Ｐ及び突出体６１Ｓとの当接位置等が設定される。
【０１１５】
さらには、当接リブ６２Ｘ（当接部）、トレイ本体部６１の各トレイ側面部６１Ｂの上部に設けられた突部６１Ｐ及び突出体６１Ｓが設けられていない構成であってもよい。すなわち、トレイカバー６２に設けられた案内部材６３の突出部６３Ｂと、バイパスカバー５５の上端部に設けられた湾曲面５５Ａとが摺接するだけでトレイ本体部６１を起立位置に回動させるようにしてもよい。
【符号の説明】
【０１１６】
１１・・・・本体ユニット
１４・・・・搬送経路
５０・・・・トレイ支持部
５５・・・・バイパスカバー
５５Ａ・・・湾曲面
６１・・・・トレイ本体部
６１Ａ・・・シート支持部
６２・・・・トレイカバー
６２Ｙ・・・第２軸体
６２Ｘ・・・当接リブ
６３・・・・案内部材
６３Ｂ・・・突出部
【図１】
2016210578.tif 000003
【図２】
2016210578.tif 000004
【図３】
2016210578.tif 000005
【図４】
2016210578.tif 000006
【図５】
2016210578.tif 000007
【図６】
2016210578.tif 000008
【図７】
2016210578.tif 000009
【図８】
2016210578.tif 000010
【図９】
2016210578.tif 000011
【図１０】
2016210578.tif 000012